(57)【特許請求の範囲】
【請求項１】
調理器本体に設けられた開口から突出する突出位置と、前記調理器本体内に収納された収納位置とに移動自在な開閉式操作盤の開閉構造において、
前記調理器本体の開口縁部に設けられ、前記操作盤を前記調理器本体に対して揺動自在とする揺動軸と、
前記調理器本体内に前記揺動軸よりも収納位置側に設けられ、前記操作盤の移動に伴って移動するコイル部と、該コイル部の両端から夫々延びる一対の端部とを有し、一方の端部が前記操作盤側に設けられた操作盤側固定部に固定され、他方の端部が前記調理器本体側に設けられた本体側固定部に固定されて、前記操作盤を前記調理器本体に対して突出位置側に付勢するねじりコイルバネと、
前記操作盤を前記収納位置で解除自在に固定する位置規制機構と、
前記位置規制機構による固定が解除されて前記操作盤が前記収納位置から前記突出位置に移動するに際し、前記ねじりコイルバネによる前記操作盤への付勢力に抗して前記操作盤の移動速度を減速させるダンパー機構とを備え、
前記操作盤側固定部と前記本体側固定部との少なくとも一方の固定部は複数設けられ、
該複数の固定部のうち、前記ねじりコイルバネの端部が固定される固定部を変更することにより、前記収納位置における前記ねじりコイルバネの両端部の成す角を切換自在とすることを特徴とする調理器用開閉式操作盤の開閉構造。
【請求項２】
請求項１記載の開閉構造により取り付けられた前記操作盤を複数備えることを特徴とする調理器。
【請求項３】
請求項１記載の調理器用開閉式操作盤の開閉構造において、
前記収納位置において前記操作盤を収納する収納箱が前記調理器本体内に着脱自在に設けられ、
前記本体側固定部は前記収納箱内に設けられ、
前記収納箱には、前記複数の固定部のうち、前記ねじりコイルバネの端部が固定される前記固定部を変更するために、当該収納箱の外面と内面とが連通されるように切り欠かれた切欠部が設けられていることを特徴とする調理器用開閉式操作盤の開閉構造。
【発明の詳細な説明】
【技術分野】
【０００１】
本発明は、調理器用開閉式操作盤の開閉構造に関する。
【背景技術】
【０００２】
従来、調理器本体に、前面パネルの前方に突出した突出位置と調理器本体内に収納された収納位置とに移動自在な操作盤を組み込み、操作盤に各種機能の選択や設定を行う各種操作スイッチと表示部とを配置したものが知られている（例えば、特許文献１参照）。
【０００３】
特許文献１のものでは、操作盤をねじりコイルバネで付勢すると共に、操作盤に設けられたラック部に噛合するピニオンにダンパーを設けてピニオンが緩やかに回転するように構成されている。これにより、操作盤がねじりコイルバネの付勢力で勢いよく突出することを防止し、ゆっくりと移動させることができる。
【先行技術文献】
【特許文献】
【０００４】
【特許文献１】特開２００４−２６３９０３号公報
【発明の概要】
【発明が解決しようとする課題】
【０００５】
上述した開閉式操作盤によれば、ねじりコイルバネとダンパーとにより、操作盤の移動速度が設定される。ところで、利用者によって操作盤の移動速度の好みが異なる場合があり、利用者の希望に沿った移動速度にしてほしいと要望される場合がある。
【０００６】
この場合、従来の構造では、ねじりコイルバネ又はダンパーを交換して操作盤の移動速度を変更することとなり、異なる弾性力のねじりコイルバネや異なるトルクのダンパーの予備がない場合には新たに部品を取り寄せる必要があるなど、操作盤の移動速度の変更に手間が掛かる。
【０００７】
本発明は、以上の点に鑑み、操作盤の移動速度を容易に調整することができる調理器用開閉式操作盤の開閉構造を提供することを目的とする。
【課題を解決するための手段】
【０００８】
［１］上記目的を達成するため、本発明は、調理器本体に設けられた開口から突出する突出位置と、前記調理器本体内に収納された収納位置とに移動自在な開閉式操作盤の開閉構造において、前記調理器本体の開口縁部に設けられ、前記操作盤を前記調理器本体に対して揺動自在とする揺動軸と、前記調理器本体内に前記揺動軸よりも収納位置側に設けられ、前記操作盤の移動に伴って移動するコイル部と、該コイル部の両端から夫々延びる一対の端部とを有し、一方の端部が前記操作盤側に設けられた操作盤側固定部に固定され、他方の端部が前記調理器本体側に設けられた本体側固定部に固定されて、前記操作盤を前記調理器本体に対して突出位置側に付勢するねじりコイルバネと、前記操作盤を前記収納位置で解除自在に固定する位置規制機構と、前記位置規制機構による固定が解除されて前記操作盤が前記収納位置から前記突出位置に移動するに際し、前記ねじりコイルバネによる前記操作盤への付勢力に抗して前記操作盤の移動速度を減速させるダンパー機構とを備え、前記操作盤側固定部と前記本体側固定部との少なくとも一方の固定部は複数設けられ、該複数の固定部のうち、前記ねじりコイルバネの端部が固定される固定部を変更することにより、前記収納位置における前記ねじりコイルバネの両端部の成す角を切換自在とすることを特徴とする。
【０００９】
本発明によれば、端部を固定する固定部を変更することにより、操作盤が収納位置であるときのねじりコイルバネの両端部の成す角を切り換えることができるため、操作盤が収納位置であるときのねじりコイルバネの付勢力を調整することができる。
【００１０】
これにより、ねじりコイルバネやダンパー機構を取り換えることなく、操作盤の移動速度を容易に調整することができる。
【００１１】
［２］上述した開閉構造は、操作盤を複数備える調理器に用いることもできる。例えば、調理器の前面パネルにコンロ用の開閉式操作盤とグリル用の開閉式操作盤とが設けられている場合がある。調理器用の開閉式操作盤は、３口タイプの調理器の場合、３つのコンロ用の操作ボタン等が配置される。このため、コンロ用の開閉式操作盤は、幅が比較的広くなり、グリル用の開閉式操作盤と比較して重量が重くなる。
【００１２】
従来の調理器では、両開閉式操作盤において、同一のねじりコイルバネ及び同一のダンパー機構を用いていたため、両操作盤を同時に前面パネルから突出させると、重量の軽いグリル用の開閉式操作盤の開閉速度がコンロ用の開閉式操作盤よりも速くなる。これにより、利用者が両操作盤を同時に突出させた場合に、違和感を感じることがある。
【００１３】
これを防止すべく、従来品では、複数種のねじりコイルバネ及びダンパー機構の中から、両操作盤が同じ開閉速度となる組み合わせを探し出して調整していた。
【００１４】
しかしながら、従来の構造では、組み立て時に、異なる弾性力のねじりコイルバネ及び異なるトルクのダンパー機構が複数あるため、組付け部品を間違えることがあり、歩留まりが悪くなってしまう。
【００１５】
本発明の操作盤の開閉構造によれば、ねじりコイルバネの両端部の成す角を変更することで付勢力を調整することができ、複数の操作盤の開閉速度を一致させることができる。このため、従来のように弾性力の異なるねじりコイルバネやトルクの異なるダンパー機構を多数用意する必要がなく、歩留まりの向上を図ることができる。
【００１６】
［３］本発明において、収納位置において操作盤を収納する収納箱を、調理器本体内に着脱自在に設け、この収納箱内に本体側固定部を設け、収納箱には、前記複数の固定部のうち、ねじりコイルバネの端部が固定される固定部を変更するために、収納箱の外面と内面とが連通されるように切り欠かれた切欠部を設けることが好ましい。
【００１７】
これによれば、収納箱を調理器本体から取り外して、切欠部から指を挿入し、ねじりコイルバネの端部が固定される固定部を変更できるため、ねじりコイルバネの付勢力を調整する作業が容易となる。
【図面の簡単な説明】
【００１８】
【図１】本発明の実施形態の開閉式操作盤の開閉構造を用いた調理器を示す斜視図。
【図２】実施形態の調理器の開閉式操作盤が突出位置である状態を示す斜視図。
【図３】実施形態の開閉式操作盤を示す断面図。
【図４】実施形態の開閉式操作盤を示す斜視図。
【発明を実施するための形態】
【００１９】
図１はシステムキッチンのカウンタトップ(図示せず)に落とし込むようにして設置するドロップイン式のガスコンロから成る加熱調理器を示している。この加熱調理器の調理器本体１には、前側の左右２個と後側の１個の計３個のコンロバーナ２と、グリル３とが配置されている。各コンロバーナ２とグリル３に設けるグリルバーナ（図示省略）はガスバーナで構成される。
【００２０】
調理器本体１の上面を覆う天板４には、各コンロバーナ２を臨ませる開口が形成されている。そして、天板４に、各開口を囲うように五徳２ａを載置すると共に、天板４の後部に、グリル３用の排気口４ａを形成している。各コンロバーナ２は、五徳２ａ上の調理容器の底面に当接してその温度を検出する鍋底温度センサ２ｂを付設した外炎式バーナで構成されている。
【００２１】
カウンタトップの下方で前方に露出するコンロ本体１の前面部分には、グリル扉３ａとその左右の前面パネル５，５とが設けられている。
【００２２】
右側の前面パネル５には、前側左右２個と後側１個の合計３個のコンロバーナ２の点消火操作を行う３つの押しボタン６ａ，６ａ，６ａが並設されている。３つの押しボタン６ａ，６ａ，６ａの配置部の下方には、前面パネル５に設けられた開口から前方に突出自在な操作盤７が配置されている。
【００２３】
同様に、左側の前面パネル５にも、グリル３に設けられたグリルバーナ（図示省略）の点消火操作を行う押しボタン６ｂが設けられている。又、押しボタン６ｂの配置部の下方には、前面パネル５の前方に突出自在な操作盤７が配置されている。
【００２４】
尚、各前面パネル５は、図２に示す如く、パネル本体５１と、コンロバーナ２用の押しボタン６ａ，６ａ，６ａの配置部上方のパネル本体５１の部分の前面及び押しボタン６ａ，６ａ，６ａの配置部と操作盤７との間のパネル本体５１の部分の前面に取付けたアルミニウム等の金属で形成される上下一対の飾り板５２，５２’とで構成されている。
【００２５】
操作盤７は、調理器本体１内に着脱自在に設けられた収納箱８に収納自在となっている。収納箱８の前面は開口しており、収納箱８の前面下部には揺動軸８１が設けられている。操作盤７は、この揺動軸８１に前後方向に揺動自在に軸支される揺動枠７１を備えている。この揺動枠７１の前方への揺動で操作盤７が前面パネル５の前方に突出する。
【００２６】
右側の前面パネル５に配置する操作盤７の上面７２には、図２に示す如く、各コンロバーナ２による加熱モードの設定や加熱温度等の設定、各コンロバーナ２の加熱時間の設定等を行う各種操作スイッチ７２ａと表示部７２ｂとが設けられている。また、揺動枠７１の前面には飾り板７３が設けられている。左側の前面パネル５に配置する操作盤７には、図示しないが、グリル用の各種操作スイッチと表示部とが設けられている。
【００２７】
収納箱８の内側面には、ピニオン８２がロータリーダンパ８２ａを介して回転自在に設けられている。又、揺動枠７１の側面には、揺動方向に湾曲しピニオン８２と噛合する円弧状のラック７１ａが設けられている。実施形態においては、ロータリーダンパ８２ａとピニオン８２とラック７１ａとで、本発明のダンパー機構を構成している。
【００２８】
収納箱８内には、コイル部９１とコイル部９１の両端から夫々延びる端部９２ａ，９２ｂとから成るねじりコイルバネ９が配置されている。ねじりコイルバネ９の一方の端部９２ａは、揺動枠７１の後端部に設けられた溝状の操作盤側固定部７４に嵌合して固定される。他方の端部９２ｂは、収納箱８の内底面に設けられた３つの孔状の本体側固定部８３ａ，８３ｂ，８３ｃの何れか１つに差し込まれて固定される。これにより、ねじりコイルバネ９が揺動枠７１を前方へ押し出す付勢力を発生させる。尚、各本体側固定部８３ａ〜ｃは、上下方向に間隔を存して配置されている。
【００２９】
又、揺動枠７１の後端部には、後方に突出する爪部７５が設けられている。収納箱８内には、操作盤７が収納位置にあるときに爪部７５と解除自在に係合する従来公知のプッシュプッシュ式係合機構８４が設けられている。実施形態においては、爪部７５と係合機構８４とで、本発明の位置規制機構を構成している。
【００３０】
又、揺動枠７１の後端縁には、上方に張り出す張出部７１ｂが設けられている。又、収納箱８の前方の開口上縁には、下方に突出する突部８ａが設けられている。操作盤７が突出位置にあるときには、張出部７１ｂと突部８ａが当接する。これにより、操作盤７の突出位置を規定している。
【００３１】
次に、上述の如く構成される操作盤７の作動を説明する。操作盤７が収納位置にあるときに、前面パネルと同一面上に位置する飾り板７３を後方へ押圧すると、プッシュプッシュ式係合機構８４と爪部７５との係合が解除される。これにより、操作盤７は、ねじりコイルバネ９の付勢力により前方へ揺動する。
【００３２】
このとき、ラック７１ａに噛合するピニオン８２がロータリーダンパ８２ａのオイルの粘性抵抗による制動力を受け、操作盤７の移動速度が緩やかになる。これにより、操作盤７がねじりコイルバネ９の付勢力により勢いよく突き出て、突出位置で衝撃が発生することを防止できる。
【００３３】
そして、張出部７１ｂと突部８ａとが当接することにより、操作盤７が突出位置で停止する。操作盤７を突出位置から収納位置に戻す場合には、飾り板７３を後方へ押圧して、爪部７５とプッシュプッシュ係合機構８４とを係合させればよい。
【００３４】
ところで、実施形態の操作盤７は、ダンパ８２ａにより緩やかに収納位置から突出位置に移動するようにしているが、収納位置から突出位置までの移動速度が遅すぎると、利用者に不快感を与える虞がある。逆に、移動速度が速すぎると衝撃が発生してしまう。従って、ダンパ８２ａによるピニオン８２の回転抵抗と、ねじりコイルバネ９の付勢力とで、移動速度が適切となるように設定する必要がある。
【００３５】
従来品においては、上述した移動速度が適切となるようにダンパ８２ａを、オイルの粘性が異なるものに変更したり、又は、ねじりコイルバネ９を、弾性力が異なるものに変更することにより、上述した移動速度が適切となるように調整していた。しかしながら、これでは、複数種のダンパ８２ａやねじりコイルバネ９を用意する必要があり、又、部品交換の手間も掛かる。
【００３６】
又、実施形態の調理器のように、２つの開閉式操作盤７を備えるものにおいては、両者を同時に後方へ押圧した場合、同じ速度で収納位置から突出位置に移動することが望まれる。しかしながら、同じ種類のダンパ８２ａ及びねじりコイルバネ９を用いる場合には、右側の操作盤７は３つのコンロを操作するのに対し、左側の操作盤７はグリルのみを操作するだけであるため、操作盤７の重量が異なり、同一速度で移動しない虞がある。又、これ以外にも操作盤７の個体差等により同一種類のダンパ８２ａ及びねじりコイルバネ９を用いると同一速度で開かない虞もある。
【００３７】
実施形態の調理器では、ねじりコイルバネ９の端部９２ｂを固定する固定部８３として、上下方向に間隔を存して３箇所に第１〜第３固定部８３ａ〜ｃが設けられている。これにより、３つの固定部８３ａ〜ｃの何れに端部９２ｂを固定するかによって、ねじりコイルバネ９の両端部９２ａ，９２ｂの成す角αを３段階で調整することができる。
【００３８】
従って、ねじりコイルバネ９を交換することなく、ねじりコイルバネ９の付勢力を変更することができて、操作盤７の移動速度を適切な速度に調整することができ、且つ、両操作盤７，７の移動速度が一致するように調整することができる。
【００３９】
又、図４に示すように、実施形態の収納箱８の右上部には切欠部８ｂが形成されており、収納箱８を調理器本体１から取り外して、この切欠部８ｂから指を挿入し、ねじりコイルバネ９の端部９２ｂを３つの固定部８３ａ〜ｃの何れかに切り換えし易くしている。
【００４０】
尚、実施形態においては、操作盤７を２つ備える調理器を用いて説明したが、これに限らず、操作盤７の数が１つ又は３つ以上であっても、本発明の「ダンパやねじりコイルバネを交換することなく操作盤７の移動速度を適切な速度に調整することができる」という効果を得ることができる。
【００４１】
又、実施形態では、３つの本体側固定部８３ａ〜ｃを設けたものを説明したが、本体側固定部の数は３つに限らず、２つでも４つ以上でも本発明の効果を得ることができる。又、実施形態では、３つの本体側固定部８３ａ〜ｃを上下方向に間隔を存して配置したが、これに限らず、本体側固定部８３ａ〜ｃは、ねじりコイルバネ９の両端部９２ａ，９２ｂの成す角αを変更できるように配置されていればよい。
【００４２】
又、実施形態では、本体側固定部８３を複数設け、操作盤側固定部７４は１つだけのものを説明したが、これに限らず、ねじりコイルバネ９の端部９２ｂを固定する本体側固定部８３を１つだけとし、ねじりコイルバネ９の端部９２ａを固定する操作盤側固定部７４を複数設けてもよく、又、両固定部７４，８３を複数設けてもよい。
【００４３】
又、ドロップイン式のガスコンロに本発明を適用した実施形態について説明したが、卓上式のガスコンロや熱源として電気ヒータや電磁誘導コイルを用いる調理器等の他の調理器にも同様に本発明を適用できる。
【符号の説明】
【００４４】
１…調理器本体、２…コンロバーナ(ガスバーナ)、２ａ…五徳、２ｂ…鍋底温度センサ、３…グリル、３ａ…グリル扉、４…天板、４ａ…排気口、５…前面パネル、５１…パネル本体、５２，５２’…飾り板、６ａ，６ｂ…押しボタン、７…操作盤、７１…揺動枠、７１ａ…ラック、７１ｂ…張出部、７２…操作盤の上面、７２ａ…各種操作スイッチ、７２ｂ…表示部、７３…飾り板、７４…操作盤側固定部、７５…爪部、８…収納箱、８ａ…突部、８ｂ…切欠部、８１…揺動軸、８２…ピニオン、８２ａ…ロータリーダンパ、８３ａ〜ｃ…本体側固定部、８４…プッシュプッシュ式係合機構、９…ねじりコイルバネ、９１…コイル部、９２ａ，９２ｂ…端部。
【図３】
0005398438.tif 000002
【図１】
0005398438.tif 000003
【図２】
0005398438.tif 000004
【図４】
0005398438.tif 000005